(57)【要約】【課題】冷媒のロスを発生させずに冷凍サイクル回路の冷媒量を調整することができる冷凍サイクル試験装置を提供する。【解決手段】冷凍サイクル試験装置は、圧縮機と、第一熱交換器と、減圧装置と、第二熱交換器と、を順に接続した冷凍サイクル回路と、冷凍サイクル回路における圧縮機の吐出側と減圧装置の吸込側との間の第一位置と、冷凍サイクル回路における減圧装置の吐出側と圧縮機の吸込側との間の第二位置とを接続する冷媒回収配管と、冷媒回収配管の途中に配置された冷媒回収装置と、冷媒回収配管における第一位置と冷媒回収装置との間に配置された第一開閉弁と、冷媒回収配管における第二位置と冷媒回収装置との間に配置された第二開閉弁と、を備える。【選択図】図１
2020186842.tif 000002
【特許請求の範囲】
【請求項１】
冷媒を圧縮する圧縮機と、
前記圧縮機から吐出された冷媒と第一熱媒体との間で熱交換を行う第一熱交換器と、
前記第一熱交換器を通過した冷媒を減圧する減圧装置と、
前記減圧装置を通過した冷媒と第二熱媒体との間で熱交換を行う第二熱交換器と、
を順に接続した冷凍サイクル回路と、
前記冷凍サイクル回路における前記圧縮機の吐出側と前記減圧装置の吸込側との間の第一位置と、前記冷凍サイクル回路における前記減圧装置の吐出側と前記圧縮機の吸込側との間の第二位置とを接続する冷媒回収配管と、
前記冷媒回収配管の途中に配置された冷媒回収装置と、
前記冷媒回収配管における前記第一位置と前記冷媒回収装置との間に配置された第一開閉弁と、
前記冷媒回収配管における前記第二位置と前記冷媒回収装置との間に配置された第二開閉弁と、
を備える冷凍サイクル試験装置。
【請求項２】
前記冷媒回収装置は、
冷媒を冷却する冷却装置と、
前記冷却装置によって冷却されて液化した冷媒を貯留する冷媒回収ボンベと、
を備えることを特徴とする請求項１に記載の冷凍サイクル試験装置。
【請求項３】
前記冷却装置は、
冷媒と空気との熱交換を行う第三熱交換器と、
前記第三熱交換器へと空気を送風する送風機と、
を含むことを特徴とする請求項２に記載の冷凍サイクル試験装置。
【請求項４】
前記冷媒回収ボンベの圧力が上限値に到達した場合に圧力を逃がすための安全弁を備えることを特徴とする請求項２又は請求項３に記載の冷凍サイクル試験装置。
【請求項５】
前記冷媒回収装置を加熱する加熱装置を更に備えることを特徴とする請求項１から請求項４の何れか１項に記載の冷凍サイクル試験装置。
【請求項６】
前記第一開閉弁及び前記第二開閉弁の動作を制御する制御部を更に備え、
前記制御部は、
前記冷凍サイクル回路を流れる冷媒の一部を前記冷媒回収装置に回収する冷媒回収処理を行う場合、前記冷凍サイクル回路の動作中の前記第二開閉弁を閉弁するとともに前記第一開閉弁を開弁するように構成され、
前記冷媒回収装置に回収された冷媒を前記冷凍サイクル回路へ戻す冷媒戻し処理を行う場合、前記冷凍サイクル回路の動作中の前記第一開閉弁を閉弁するとともに前記第二開閉弁を開弁するように構成されることを特徴とする請求項１から請求項５の何れか１項に記載の冷凍サイクル試験装置。
【請求項７】
前記冷媒回収装置に回収された液相冷媒の回収量を検出する冷媒量検出装置を更に備え、
前記制御部は、前記冷媒回収処理の実行中に、検出された前記回収量が目標量に到達した場合、前記第一開閉弁を閉弁するように構成されることを特徴とする請求項６に記載の冷凍サイクル試験装置。
【請求項８】
前記圧縮機の吸込側の冷媒圧力を検出する圧力センサを更に備え、
前記制御部は、前記冷媒回収処理の実行中に、検出された前記冷媒圧力が目標冷媒圧力まで低下した場合、前記第一開閉弁を閉弁するように構成されることを特徴とする請求項６に記載の冷凍サイクル試験装置。
【請求項９】
前記冷媒回収装置に回収された液相冷媒の回収量を検出する冷媒量検出装置を更に備え、
前記制御部は、前記冷媒戻し処理の実行中に、検出された前記回収量がゼロに到達した場合、前記第二開閉弁を閉弁するように構成されることを特徴とする請求項６から請求項８の何れか１項に記載の冷凍サイクル試験装置。
【請求項１０】
前記圧縮機及び前記第一熱交換器が収納された室外機と、
前記減圧装置と前記第二熱交換器が収納された室内機と、
を備えることを特徴とする請求項１から請求項９の何れか１項に記載の冷凍サイクル試験装置。
【発明の詳細な説明】
【技術分野】
【０００１】
本発明は、冷凍サイクル回路を備えた冷凍サイクル試験装置に関する。
【背景技術】
【０００２】
従来、例えば特許文献１には、冷媒漏れの検知が可能な冷凍サイクル装置に関する技術が開示されている。この技術では、冷凍サイクルを構成する凝縮器と膨張手段の間に、液溜が設けられている。冷凍サイクル装置は、圧縮機の起動後一定時間経過と判別した時の液溜内の冷媒液面位置により冷媒量を算出し、冷媒漏れを判断する。
【先行技術文献】
【特許文献】
【０００３】
【特許文献１】特開２００８−０６４４５３号公報
【発明の概要】
【発明が解決しようとする課題】
【０００４】
ところで、冷凍サイクル回路を用いた空気調和機等の冷凍サイクル装置は、専門知識を有する技術者によって保守点検又は修理等が行われる。このような専門技術者の養成課程では、装置の不具合を模擬した試験装置を用いた研修等が行われる。例えば、冷凍サイクル回路の冷媒不足の状態を模擬した試験装置を構築する場合、冷媒を回収する回収機材を実際の冷凍サイクル装置に接続することで冷媒を回収する。そして、研修等の終了後は、回収した冷媒を回収機材から冷凍サイクル回路へと再度充填する。
【０００５】
しかしながら、冷凍サイクル装置に回収機材を都度接続して冷媒の回収及び充填を行うと、回収機材の内部に残留した冷媒のロスが発生するという課題がある。また、研修を行う度に冷凍サイクル装置に回収機材を接続する方法は、準備及び作業に時間を要するという課題もある。
【０００６】
本発明は、上述のような課題を解決するためになされたもので、冷媒のロスを発生させずに冷凍サイクル回路の冷媒量を調整することができる冷凍サイクル試験装置を提供することを目的とする。
【課題を解決するための手段】
【０００７】
本発明の冷凍サイクル試験装置は、冷媒を圧縮する圧縮機と、圧縮機から吐出された冷媒と第一熱媒体との間で熱交換を行う第一熱交換器と、第一熱交換器を通過した冷媒を減圧する減圧装置と、減圧装置を通過した冷媒と第二熱媒体との間で熱交換を行う第二熱交換器と、を順に接続した冷凍サイクル回路と、冷凍サイクル回路における圧縮機の吐出側と減圧装置の吸込側との間の第一位置と、冷凍サイクル回路における減圧装置の吐出側と圧縮機の吸込側との間の第二位置とを接続する冷媒回収配管と、冷媒回収配管の途中に配置された冷媒回収装置と、冷媒回収配管における第一位置と冷媒回収装置との間に配置された第一開閉弁と、冷媒回収配管における第二位置と冷媒回収装置との間に配置された第二開閉弁と、を備えるものである。
【発明の効果】
【０００８】
本発明の冷凍サイクル試験装置によれば、冷凍サイクル回路の動作中に第一開閉弁を開弁して第二開閉弁を閉弁することによって、冷凍サイクル回路を循環する冷媒を冷媒回収装置に回収することができる。また、冷凍サイクル回路の動作中に第一開閉弁を閉弁して第二開閉弁を開弁することによって、冷媒回収装置の冷媒を冷凍サイクル回路へと戻すことができる。これにより、冷媒のロスを発生させずに冷凍サイクル回路を循環する冷媒量を任意の量に調整することができる。
【図面の簡単な説明】
【０００９】
【図１】実施の形態１における冷凍サイクル試験装置の回路構成を示す図である。
【図２】冷凍サイクル試験装置の冷房運転の動作を説明するための図である。
【図３】冷凍サイクル試験装置において実行される冷媒回収処理を説明するための図である。
【図４】冷凍サイクル試験装置において実行される冷媒戻し処理を説明するための図である。
【図５】実施の形態２における冷凍サイクル試験装置の回路構成を示す図である。
【図６】実施の形態２の冷凍サイクル試験装置１００において実行される冷媒回収処理の制御ルーチンを示すフローチャートである。
【図７】実施の形態２の冷凍サイクル試験装置において実行される冷媒戻し処理の制御ルーチンを示すフローチャートである。
【図８】実施の形態２の冷凍サイクル試験装置が備える制御部のハードウェア構成の例を示す図である。
【図９】実施の形態２の冷凍サイクル試験装置が備える制御部のハードウェア構成の他の例を示す図である。
【発明を実施するための形態】
【００１０】
以下、図面を参照して実施の形態について説明する。なお、各図において共通する要素には、同一の符号を付して、重複する説明を省略する。
【００１１】
実施の形態１．
１−１．実施の形態１の冷凍サイクル試験装置の構成
図１は、実施の形態１における冷凍サイクル試験装置の回路構成を示す図である。図１では、冷凍サイクル試験装置の一例として、空気調和機の試験装置の回路構成を示している。なお、冷凍サイクル試験装置としては、空気調和機の他に、例えば、給湯器、ショーケース、あるいは冷蔵庫等を用いた試験装置が例示される。
【００１２】
図１に示すように、冷凍サイクル試験装置１００は、室内機１０と、室外機３０と、冷媒量調整装置５０と、を備えている。室内機１０は、空気調和の対象となる部屋の室内に設置される。室外機３０及び冷媒量調整装置５０は、当該部屋の室外に設置される。
【００１３】
室内機１０の内部には、膨張弁１２と、室内機熱交換器１４と、室内機ファン１６とが収納されている。室外機３０の内部には、圧縮機３２と、四方弁３４と、室外機熱交換器３６と、室外機ファン３８と、制御基板４０とが収納されている。圧縮機３２、四方弁３４、室外機熱交換器３６、膨張弁１２、及び室内機熱交換器１４が冷媒配管２０によって環状に接続されることにより、冷凍サイクル回路が形成されている。制御基板４０は、冷凍サイクル回路を構成する機器類の動作を制御する。
【００１４】
冷媒配管２０内には冷媒が封入されている。圧縮機３２は、冷媒配管２０から吸い込まれる低圧冷媒ガスを圧縮する。冷媒は、地球温暖化係数（ＧＷＰ）の小さいものを用いることが地球環境保護上の観点から好ましい。このような冷媒としては、例えば、テトラフルオロプロペン（ＣＦ３ＣＦ＝ＣＨ２：ＨＦＯ−１２３４ｙｆ）、ジフルオロメタン（ＣＨ２Ｆ２：Ｒ３２）、プロパン（Ｒ２９０）、プロピレン（Ｒ１２７０）、エタン（Ｒ１７０）、ブタン（Ｒ６００）、イソブタン（Ｒ６００ａ）、１．１．１．２−テトラフルオロエタン（Ｃ２Ｈ２Ｆ４：Ｒ１３４ａ）、ペンタフルオロエタン（Ｃ２ＨＦ５：Ｒ１２５）、１．３．３．３−テトラフルオロ−１−プロペン（ＣＦ３−ＣＨ＝ＣＨＦ：ＨＦＯ−１２３４ｚｅ）等の冷媒が例示される。圧縮機３２は、例えば、ロータリ圧縮機、又は、スクロール圧縮機等を用いることができる。
【００１５】
四方弁３４は、図１に示すように冷媒配管２０における圧縮機３２の前後に介在するように配置される。四方弁３４は、連通させるポートの切り替えを行うことにより、冷媒配管２０を流通する冷媒の流れ方向を切り替え可能に構成されている。
【００１６】
室外機熱交換器３６は、圧縮機３２から吐出された高温高圧の冷媒と第一熱媒体である室外の空気との間で熱を交換する。室外機熱交換器３６は、以下「第一熱交換器」とも呼ばれる。室外機ファン３８は、室外機熱交換器３６に対向して配置される。室外機ファン３８が室外機熱交換器３６へ送風することで、室外機熱交換器３６での熱交換を促進できる。
【００１７】
膨張弁１２は、高圧冷媒を減圧して低圧冷媒にする減圧装置の例である。減圧された低圧冷媒は、気液二相の状態になる。室内機熱交換器１４は、低圧冷媒と第二熱媒体である室内空気との間で熱を交換する熱交換器である。室内機熱交換器１４は、以下「第二熱交換器」とも呼ばれる。室内機熱交換器１４は、室内機ファン１６の前方に配置される。室内機熱交換器１４において、低圧冷媒は、大気の熱を吸収することで蒸発する。室内機ファン１６が室内機熱交換器１４へ送風することで、室内機熱交換器１４での熱交換を促進できる。室内機熱交換器１４で蒸発した低圧冷媒ガスは、圧縮機３２に吸入される。
【００１８】
冷媒配管２０は、室内機１０側の室内機冷媒配管２０２と、室外機３０側の室外機冷媒配管２０４と、第一外部冷媒配管２０６と、第二外部冷媒配管２０８とにより構成されている。第一外部冷媒配管２０６及び第二外部冷媒配管２０８は、室内機冷媒配管２０２及び室外機冷媒配管２０４の端部に設けられた継手等の金属接続部を介してそれぞれ接続されている。具体的には、第一外部冷媒配管２０６は、室内機冷媒配管２０２の膨張弁１２側の室内金属接続部２２と、室外機冷媒配管２０４の室外機熱交換器３６の側の室外金属接続部２４とに接続されている。また、第二外部冷媒配管２０８は、室内機冷媒配管２０２の室内機熱交換器１４の側の室内金属接続部２２と、室外機冷媒配管２０４の圧縮機３２の側の室外金属接続部２４とに接続されている。
【００１９】
冷媒量調整装置５０は、冷媒回収配管５２と、冷媒回収装置６０と、第一開閉弁５４と、第二開閉弁５６と、保護装置５８とを備えている。冷媒回収配管５２は、第一外部冷媒配管２０６の途中の第一位置２６と、第二外部冷媒配管２０８の途中の第二位置２８との間を接続している。冷媒回収装置６０は、冷媒配管２０を循環する冷媒の一部を一時的に回収するための装置である。冷媒回収装置６０は、具体的には、冷媒回収用熱交換器６２と、冷却ファン６４と、冷媒回収ボンベ６６とを備えている。
【００２０】
冷媒回収用熱交換器６２は、冷媒を冷却する冷却装置の例である。冷媒回収用熱交換器６２は、冷媒回収配管５２を流れる中温高圧の冷媒と室外の空気との間で熱を交換する。冷媒回収用熱交換器６２は、以下「第三熱交換器」とも呼ばれる。冷却ファン６４は送風機であり、冷媒回収用熱交換器６２に対向して配置される。冷却ファン６４が冷媒回収用熱交換器６２へ送風することで、冷媒回収用熱交換器６２での熱交換を促進できる。冷媒回収ボンベ６６は、冷媒を液相の状態で貯留するためのタンクである。
【００２１】
冷媒回収用熱交換器６２及び冷媒回収ボンベ６６は、冷媒回収配管５２の途中に介在するように接続される。具体的には、冷媒回収配管５２は、第一回収配管５２２と、第二回収配管５２４と、第三回収配管５２６と、を備えている。第一回収配管５２２は、第一外部冷媒配管２０６の第一位置２６と冷媒回収用熱交換器６２の入口側とを接続する。第二回収配管５２４は、第二外部冷媒配管２０８の第二位置２８と冷媒回収ボンベ６６の上部とを接続する。そして、第三回収配管５２６は、冷媒回収用熱交換器６２の出口側と冷媒回収ボンベ６６の下部とを接続する。なお、冷媒回収ボンベ６６は、液封を防止するために、冷媒配管２０を循環する冷凍サイクル回路の全冷媒を貯留可能な容積を有していることが好ましい。
【００２２】
第一回収配管５２２の途中には、第一回収配管５２２を開閉する第一開閉弁５４が配置される。また、第二回収配管５２４の途中には、第二回収配管５２４を開閉する第二開閉弁５６が配置される。
【００２３】
保護装置５８は、冷媒回収ボンベ６６の圧力が安全上許容される上限値を超えないようにするための保護装置である。保護装置５８は、具体的には、安全弁５８２と、保護配管５８４とを備えている。保護配管５８４は、冷媒回収ボンベ６６の上部と第二外部冷媒配管２０８の途中とを接続する。安全弁５８２は、保護配管５８４の途中に配置される。安全弁５８２は、冷媒回収ボンベ６６の圧力が上限値に達した時に開弁して圧力を逃がすように構成されている。なお、保護配管５８４の接続先は、第二外部冷媒配管２０８に限られない。すなわち、保護配管５８４は、例えば、第二回収配管５２４における第二開閉弁５６と第二位置２８との間に接続される構成でもよい。
【００２４】
１−２．実施の形態１の冷凍サイクル試験装置の動作
次に、実施の形態１の冷凍サイクル試験装置１００の動作について説明する。冷凍サイクル試験装置１００は、室内機熱交換器１４及び室外機熱交換器３６のそれぞれにおいて冷媒と空気の間で熱交換を行うことにより、室内機１０と室外機３０との間で熱を移動させるヒートポンプとして働く。この際、四方弁３４を切り換えることにより、冷凍サイクル回路における冷媒の循環方向を反転させて冷房運転と暖房運転とを切り換えることができる。以下、冷凍サイクル試験装置１００の冷房運転時の動作を説明する。
【００２５】
１−２−１．冷凍サイクル試験装置による冷房運転動作
図２は、冷凍サイクル試験装置の冷房運転の動作を説明するための図である。冷凍サイクル試験装置１００による冷房運転は、第一開閉弁５４と第二開閉弁５６とを閉弁した状態で、制御基板４０が冷凍サイクル回路を構成する機器類を制御することにより実行される。
【００２６】
冷房運転では、四方弁３４を冷房運転に対応する位置に動作させるとともに圧縮機３２が駆動される。これにより、例えば１０℃程度の低温低圧の気相冷媒が室内機熱交換器１４から第二外部冷媒配管２０８を通って圧縮機３２へと送られる。圧縮機３２では、気相冷媒が圧縮されることにより、例えば８０℃程度の高圧冷媒となる。圧縮機３２を通過した冷媒は、次に室外機熱交換器３６へと送られる。室外機熱交換器３６では、室外機ファン３８が回転することによって、冷媒と外気との間の熱交換が行われる。室外機熱交換器３６の冷媒は冷やされて、例えば常温よりも若干高い５０℃程度の気液二相の高圧冷媒となる。
【００２７】
室外機熱交換器３６を通過した冷媒は、第一外部冷媒配管２０６を通って膨張弁１２へと送られる。膨張弁１２では、冷媒が膨張されることにより、例えば５℃程度の低圧冷媒となる。膨張弁１２を通過した冷媒は、室内機熱交換器１４に送られる。室内機熱交換器１４では、室内機ファン１６が回転することによって、冷媒と室内空気との間の熱交換が行われる。室内空気は室内機熱交換器１４を通過することで冷やされ、通過前の空気温度より低い温度になる。反対に室内機熱交換器１４の冷媒は暖められて、例えば１０℃程度低温低圧の気相冷媒となる。このような冷房運転による冷凍サイクル回路の動作中は、圧縮機３２の吐出側と膨張弁１２の吸込側との間に位置する第一位置２６が高圧となり、膨張弁１２の吐出側と圧縮機３２の吸込側との間に位置する第一位置２６が低圧となる。
【００２８】
１−２−２．冷凍サイクル試験装置による冷媒回収動作
実施の形態１の冷凍サイクル試験装置１００は、冷凍サイクル回路を循環する冷媒量を任意に調整可能な構成に特徴を有している。具体的には、冷凍サイクル試験装置１００は、冷媒不足の状態を模擬した試験装置を構築する場合、冷凍サイクル回路を循環する冷媒を回収する冷媒回収処理を実行する。
【００２９】
図３は、冷凍サイクル試験装置において実行される冷媒回収処理を説明するための図である。冷媒回収処理は、冷媒量調整装置５０を操作して行われる。冷媒回収処理は、冷房運転による冷凍サイクル回路の動作中に第一開閉弁５４を開弁する。第一開閉弁５４は、手動による開弁操作でもよいし、電磁弁として構成されている場合には、電気的な開弁操作でもよい。
【００３０】
冷房運転中は、第一位置２６を含む第一外部冷媒配管２０６に高圧の気液二相冷媒が流れている。第一開閉弁５４が開弁されると、第一外部冷媒配管２０６と冷媒回収配管５２との圧力差によって、第一外部冷媒配管２０６を流れる冷媒の一部が第一回収配管５２２を通って冷媒回収用熱交換器６２へと導入される。冷媒回収用熱交換器６２では、冷却ファン６４が回転することによって、冷媒と外気との間の熱交換が行われる。これにより、冷媒回収用熱交換器６２内の冷媒は凝縮が促進されて液相の冷媒となる。凝縮された冷媒は、第三回収配管５２６を通って冷媒回収ボンベ６６内に貯留される。このような冷媒回収処理が冷房運転中に継続されることにより、冷凍サイクル回路を循環する冷媒が徐々に冷媒回収ボンベ６６へと回収される。
【００３１】
第一開閉弁５４が閉弁されると、冷媒回収処理は終了される。これにより、外部系への冷媒ロスを発生させることなく、任意の冷媒不足の状態を模擬することが可能となる。
【００３２】
なお、冷媒回収装置６０は、冷媒回収ボンベ６６に回収された液相冷媒の回収量を検出するための冷媒量検出装置を備えていてもよい。例えば、冷媒量検出装置は、冷媒回収ボンベ６６内の冷媒の液面位置を検知するためのフロート装置によって構成されていてもよい。また、冷媒回収ボンベ６６内の冷媒の液面を視認可能な冷媒回収ボンベ６６によって構成されていてもよい。このような冷媒量検出装置によれば、冷凍サイクル回路から冷媒回収ボンベ６６に回収された回収量を正確に把握することができる。
【００３３】
また、冷媒回収装置６０は、保護装置５８を備えている。これにより、冷媒が貯留されている冷媒回収ボンベ６６の圧力が、安全上許容される上限値を超えることを防ぐことが可能となる。
【００３４】
１−２−３．冷凍サイクル試験装置による冷媒戻し動作
実施の形態１の冷凍サイクル試験装置１００は、冷媒回収処理により回収された冷媒を再び冷凍サイクル回路に戻すことが可能な構成に特徴を有している。具体的には、冷凍サイクル試験装置１００は、冷媒回収処理によって冷媒不足の状態を模擬した後、冷凍サイクル回路を元の正常な状態に戻す場合、冷媒回収装置６０に回収された冷媒を戻す冷媒戻し処理を実行する。
【００３５】
図４は、冷凍サイクル試験装置において実行される冷媒戻し処理を説明するための図である。冷媒戻し処理は、冷媒量調整装置５０を操作することによって行われる。冷媒戻し処理は、冷房運転による冷凍サイクル回路の動作中に第二開閉弁５６を開弁する。第二開閉弁５６は、手動による開弁操作でもよいし、電磁弁として構成されている場合には、電気的な開弁操作でもよい。
【００３６】
冷房運転中は、第二位置２８を含む第二外部冷媒配管２０８に低圧の気相冷媒が流れている。一方、冷媒回収ボンベ６６には、高圧の状態で冷媒が回収されている。第二開閉弁５６が開弁されると、第二外部冷媒配管２０８と冷媒回収ボンベ６６との圧力差によって、冷媒回収用熱交換器６２及び冷媒回収ボンベ６６内の気相冷媒が第二回収配管５２４を通って第二外部冷媒配管２０８へと導入される。このような冷媒回収処理が冷房運転中に継続されることにより、冷媒回収ボンベ６６内に回収されていた冷媒が徐々に冷凍サイクル回路へと戻されていく。
【００３７】
第二開閉弁５６が閉弁されると、冷媒戻し処理は終了される。これにより、外部系への冷媒ロスを発生させることなく、正常な冷凍サイクル回路へと戻すことが可能となる。
【００３８】
なお、冷媒回収装置６０は、冷媒回収ボンベ６６に回収された冷媒の蒸発を促進するための加熱装置を備えていてもよい。例えば、加熱装置は、冷媒戻し処理に冷媒回収ボンベ６６を直接的に加温するヒータによって構成されていてもよい。また、冷媒戻し処理に室外機ファン３８からの送風を冷媒回収装置６０に流す整流構造によって構成されていてもよい。このような加熱装置によれば、冷媒回収ボンベ６６に回収された冷媒を冷凍サイクル回路へ効率よく戻すことが可能となる。
【００３９】
１−３．冷凍サイクル試験装置の変形例
実施の形態１の冷凍サイクル試験装置１００は、以下のように変形した態様を適用してもよい。
【００４０】
冷媒回収用熱交換器６２の構成は必須ではない。ただし、この場合、冷媒回収ボンベ６６を冷却可能に構成されていることが、冷媒回収処理の効率を高めるために好ましい。また、冷媒回収用熱交換器６２に代えて、冷媒を冷却することができる他の冷却装置を備えることとしてもよい。また、冷却ファン６４の構成についても必須ではない。なお、この変形例は、後述する他の実施の形態の冷凍サイクル試験装置においても適用することができる。
【００４１】
冷媒量調整装置５０の冷媒回収配管５２と、第一位置２６及び第二位置２８との接続関係は逆でもよい。その場合、暖房運転による冷凍サイクルの動作中に冷媒回収処理及び冷媒戻し処理を実行すればよい。なお、この変形例は、後述する他の実施の形態の冷凍サイクル試験装置においても適用することができる。
【００４２】
第一位置２６は、冷凍サイクル回路動作中において、圧縮機３２の吐出側と膨張弁１２の吸込側との間に位置していれば、その位置に限定はない。また、第二位置２８についても、冷凍サイクル回路動作中において、膨張弁１２の吐出側と圧縮機３２の吸込側との間に位置していれば、その位置に限定はない。なお、この変形例は、後述する他の実施の形態の冷凍サイクル試験装置においても適用することができる。
【００４３】
２．実施の形態２．
２−１．実施の形態２の冷凍サイクル試験装置の構成
実施の形態２の冷凍サイクル試験装置は、冷媒回収処理及び冷媒戻し処理を自動で行う点に特徴を有している。図５は、実施の形態２における冷凍サイクル試験装置の回路構成を示す図である。実施の形態２の冷凍サイクル試験装置１００の構成は、冷媒量調整装置５０の構成を除き、実施の形態１の冷凍サイクル試験装置１００の構成と同様である。また、冷凍サイクル回路の冷房運転の基本的な考え方は、実施の形態１と同じである。実施の形態１と重複する説明は、適宜省略される。
【００４４】
図５に示すように、実施の形態２の冷凍サイクル試験装置１００の冷媒量調整装置５０は、冷媒量検出装置７２と、加熱装置７４とを備えている。冷媒量検出装置７２は、冷媒回収ボンベ６６に回収された液相の冷媒量を検出する。なお、冷媒量検出装置７２の構成に限定はない。例えば、冷媒量検出装置７２は、冷媒回収ボンベ６６内の冷媒の液面位置を検知するためのフロート装置によって構成されていてもよい。また、冷媒量検出装置７２は、冷媒回収ボンベ６６内の冷媒の質量を検知するための質量計によって構成されていてもよい。
【００４５】
加熱装置７４は、冷媒回収装置６０を加熱する。なお、加熱装置７４の構成に限定はない。例えば、加熱装置７４は、冷媒回収ボンベ６６を直接的に加温するヒータによって構成されていてもよい。また、加熱装置７４は、室外機ファン３８からの送風を冷媒回収装置６０に流す整流構造によって構成されていてもよい。なお、加熱装置７４の構成は必須ではない。
【００４６】
冷媒量調整装置５０は、制御部７０を備えている。第一開閉弁５４及び第二開閉弁５６は、電気的に開閉を行う電磁弁により構成されている。制御部７０は、冷媒量検出装置７２によって検出される液相冷媒量に基づいて、第一開閉弁５４、第二開閉弁５６、冷却ファン６４、及び加熱装置７４を制御する。
【００４７】
２−２．実施の形態２の冷凍サイクル試験装置の動作
実施の形態２の冷凍サイクル試験装置１００は、設定された目標量の冷媒を回収する動作に特徴を有している。具体的には、冷凍サイクル試験装置１００は、冷房運転中に第一開閉弁５４及び第二開閉弁５６を制御することにより、目標量の冷媒を冷媒回収ボンベ６６に回収する冷媒回収処理を実行する。また、実施の形態２の冷凍サイクル試験装置１００は、冷媒回収ボンベ６６に回収された冷媒を冷凍サイクル回路へと戻す冷媒戻し処理を実行する。以下、フローチャートに沿って、制御部７０が実行する具体的な処理について説明する。
【００４８】
２−２−１．冷凍サイクル試験装置による冷媒回収動作
図６は、実施の形態２の冷凍サイクル試験装置１００において実行される冷媒回収処理の制御ルーチンを示すフローチャートである。図６に示すルーチンは、冷媒回収処理の実行要求が出された場合に制御部７０によって実行される。なお、本ルーチンの冷媒回収処理が開始される初期状態では、第一開閉弁５４及び第二開閉弁５６が共に閉弁されている。
【００４９】
図６に示すルーチンでは、先ず、冷房運転による冷凍サイクル回路の動作中か否かが判定される（ステップＳ１００）。なお、このステップでは、制御部７０から制御基板４０に対して冷房運転の実行命令を出すように構成してもよい。冷房運転が開始されるまでは本ステップの処理が繰り返し実行され、冷房運転が開始されると次のステップに移行する。
【００５０】
次のステップでは、第二開閉弁５６を閉弁状態に維持した状態で第一開閉弁５４が開弁される（ステップＳ１０２）。これにより、第一外部冷媒配管２０６を流れる冷媒の一部が第一回収配管５２２を通って冷媒回収用熱交換器６２へと導入される。
【００５１】
次のステップでは、冷却ファン６４が駆動される（ステップＳ１０４）。これにより、冷媒回収用熱交換器６２内の冷媒は凝縮が促進されて液相の冷媒となる。凝縮された冷媒は、第三回収配管５２６を通って冷媒回収ボンベ６６内に貯留される。
【００５２】
次のステップでは、冷媒量検出装置７２によって、冷媒回収ボンベ６６内に回収された冷媒の回収量が検出される（ステップＳ１０６）。次のステップでは、検出された回収量が予め設定された目標量に到達したか否かが判定される（ステップＳ１０８）。その結果、回収量が目標量に未だ到達していない場合、処理は再びステップＳ１０６に移行する。
【００５３】
一方、ステップＳ１０８の処理において、回収量が目標量に到達した場合、第一開閉弁５４が閉弁される（ステップＳ１１０）。次のステップでは、冷却ファン６４が停止される（ステップＳ１１２）。これにより、冷媒回収装置６０と冷凍サイクル回路との連通が完全に遮断される。ステップＳ１１２の処理が完了すると、本ルーチンは終了される。
【００５４】
このように、上述した冷媒回収処理によれば、予め設定した目標量の冷媒を冷媒回収ボンベ６６内に回収することができる。これにより、目標量に応じた任意の冷媒不足の状態を模擬することが可能となる。
【００５５】
２−２−２．冷凍サイクル試験装置による冷媒戻し動作
図７は、実施の形態２の冷凍サイクル試験装置において実行される冷媒戻し処理の制御ルーチンを示すフローチャートである。図７に示すルーチンは、冷媒回収処理の実行後、冷媒戻し処理の要求が出された場合に制御部７０によって実行される。なお、本ルーチンの冷媒戻し処理が開始される初期状態では、第一開閉弁５４及び第二開閉弁５６が共に閉弁されている。
【００５６】
図７に示すルーチンでは、先ず、冷房運転による冷凍サイクル回路の動作中か否かが判定される（ステップＳ１２０）。なお、このステップでは、制御部７０から制御基板４０に対して冷房運転の実行命令を出すように構成してもよい。冷房運転が開始されるまでは本ステップの処理が繰り返し実行され、冷房運転が開始されると次のステップに移行する。
【００５７】
次のステップでは、第一開閉弁５４を閉弁状態に維持した状態で第二開閉弁５６が開弁される（ステップＳ１２２）。これにより、冷媒回収ボンベ６６と第二外部冷媒配管２０８とが、第二回収配管５２４を介して連通される。
【００５８】
次のステップでは、加熱装置７４が駆動される（ステップＳ１２４）。これにより、冷媒回収ボンベ６６内の冷媒は蒸発が促進されて気相の冷媒となる。気相となった冷媒は、第二回収配管５２４を通って第二外部冷媒配管２０８へと戻される。
【００５９】
次のステップでは、冷媒量検出装置７２によって、冷媒回収ボンベ６６内に回収された冷媒の回収量が検出される（ステップＳ１２６）。次のステップでは、検出された回収量がゼロに到達したか否かが判定される（ステップＳ１２８）。その結果、回収量がゼロに未だ到達していない場合、処理は再びステップＳ１２６に移行する。
【００６０】
一方、ステップＳ１２８の処理において、回収量がゼロに到達した場合、第二開閉弁５６が閉弁される（ステップＳ１３０）。次のステップでは、加熱装置７４が停止される（ステップＳ１３２）。これにより、冷媒回収装置６０と冷凍サイクル回路との連通が完全に遮断される。ステップＳ１３２の処理が完了すると、本ルーチンは終了される。
【００６１】
このように、上述した冷媒戻し処理によれば、回収した冷媒の全量を冷凍サイクル回路へと戻すことができる。これにより、冷媒のロスを招くことなく冷凍サイクル回路を正常な状態に戻すことが可能となる。
【００６２】
２−３．冷凍サイクル試験装置の変形例
実施の形態２の冷凍サイクル試験装置１００は、以下のように変形した態様を適用してもよい。
【００６３】
実施の形態２の冷凍サイクル試験装置１００が備える制御部７０は、以下のように構成されてもよい。図８は、実施の形態２の冷凍サイクル試験装置が備える制御部のハードウェア構成の例を示す図である。制御部７０の各機能は、処理回路により実現される。図８に示す例では、制御部７０の処理回路は、少なくとも１つのプロセッサ７０２と少なくとも１つのメモリ７０４とをそれぞれ備える。
【００６４】
処理回路が少なくとも１つのプロセッサ７０２と少なくとも１つのメモリ７０４とを備える場合、制御部７０の各機能は、ソフトウェア、ファームウェア、またはソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ７０４に格納される。少なくとも１つのプロセッサ７０２は、少なくとも１つのメモリ７０４に記憶されたプログラムを読み出して実行することにより、制御部７０の各機能を実現する。少なくとも１つのプロセッサ７０２は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰ（Ｄｉｇｉｔａｌ  Ｓｉｇｎａｌ  Ｐｒｏｃｅｓｓｏｒ）ともいう。例えば、少なくとも１つのメモリ７０４は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性または揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等である。
【００６５】
図９は、実施の形態２の冷凍サイクル試験装置が備える制御部のハードウェア構成の他の例を示す図である。図９に示す例では、制御部７０の処理回路は、少なくとも１つの専用のハードウェア７０６をそれぞれ備える。
【００６６】
処理回路が少なくとも１つの専用のハードウェア７０６を備える場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものである。制御部７０の各部の機能がそれぞれ処理回路で実現されても良い。また、制御部７０の各部の機能がまとめて処理回路で実現されても良い。
【００６７】
実施の形態２の冷凍サイクル試験装置１００において実行される冷媒回収処理では、冷媒の回収量に代えて、冷媒配管２０の冷媒圧力に基づいて終了時期を判断してもよい。すなわち、例えば、冷凍サイクル試験装置１００は、圧縮機３２の吸込側の冷媒圧力を検出するための圧力センサを備える。そして、制御部７０は、上記ステップＳ１０６において、圧力センサによって冷媒圧力を検出し、次のステップＳ１０８において、検出された冷媒圧力が予め設定された目標冷媒圧力に到達したか否かを判定する。ここでの目標冷媒圧力は、目標とする任意の冷媒不足の状態に対応した冷媒圧力に設定すればよい。そして、判定が成立しない場合、処理は再びステップＳ１０６に移行し、判定が成立した場合、処理はステップＳ１１０に移行する。このような処理によれば、目標とする冷媒不足の状態を精度よく模擬することが可能となる。
【００６８】
また、冷媒戻し処理においても、上述の冷媒回収処理の変形例と同様に、冷媒の回収量に代えて冷媒配管２０の冷媒圧力に基づいて終了時期を判断してもよい。この場合、制御部７０は、上記ステップＳ１２６において、圧力センサによって冷媒圧力を検出し、次のステップＳ１２８において、検出された冷媒圧力が予め設定された目標冷媒圧力に到達したか否かを判定する。ここでの目標冷媒圧力は、正常な冷凍サイクル回路の動作中の冷媒圧力に設定すればよい。そして、判定が成立しない場合、処理は再びステップＳ１２６に移行し、判定が成立した場合、処理はステップＳ１３０に移行する。このような処理によれば、冷凍サイクル回路が正常な状態に戻ったか否かを正確に判断することが可能となる。
【符号の説明】
【００６９】
１０  室内機、  １２  膨張弁、  １４  室内機熱交換器、  １６  室内機ファン、  ２０  冷媒配管、  ２２  室内金属接続部、  ２４  室外金属接続部、  ２６  第一位置、  ２８  第二位置、  ３０  室外機、  ３２  圧縮機、  ３４  四方弁、  ３６  室外機熱交換器、  ３８  室外機ファン、  ４０  制御基板、  ５０  冷媒量調整装置、  ５２  冷媒回収配管、  ５４  第一開閉弁、  ５６  第二開閉弁、  ５８  保護装置、  ６０  冷媒回収装置、  ６２  冷媒回収用熱交換器、  ６４  冷却ファン、  ６６  冷媒回収ボンベ、  ７０  制御部、  ７２  冷媒量検出装置、  ７４  加熱装置、  １００  冷凍サイクル試験装置、  ２０２  室内機冷媒配管、  ２０４  室外機冷媒配管、  ２０６  第一外部冷媒配管、  ２０８  第二外部冷媒配管、  ５２２  第一回収配管、  ５２４  第二回収配管、  ５２６  第三回収配管、  ５８２  安全弁、  ５８４  保護配管、  ７０２  プロセッサ、  ７０４  メモリ、  ７０６  ハードウェア
【図１】
2020186842.tif 000003
【図２】
2020186842.tif 000004
【図３】
2020186842.tif 000005
【図４】
2020186842.tif 000006
【図５】
2020186842.tif 000007
【図６】
2020186842.tif 000008
【図７】
2020186842.tif 000009
【図８】
2020186842.tif 000010
【図９】
2020186842.tif 000011